(57)【要約】      （修正有）【課題】構造が簡単で、体積が軽く、身につけて使用することができる光線治療装置を提供する。【解決手段】底面を含み、その内に第１のチャンバーが形成されるベース１１０と、底面に向かって発光する発光ユニット１２２と発光ユニットに電気的に接続される電極セット１２１と、を含み、第１のチャンバー内に取り付けられる回路板１２０と、電極セットに電気的に接続されるための給電ユニット１３０と、カバー１４０とを備える。カバー１４０は、給電ユニットを置くのに用いられる第２のチャンバーがその上に形成され、ベース内に回るように収容され、第２のチャンバーが第１のチャンバーに対して偏心回転して、給電ユニットを偏心回転するように連動させて給電ユニットと電極セットとの導通や非導通を切り替え、更に、発光ユニットの発光や非発光を切り替える。【選択図】図１
0003203644.tif 000002
【実用新案登録請求の範囲】
【請求項１】
底面を含み、内部に第１のチャンバーが形成されているベースと、
前記底面に向かって発光する発光ユニットと、前記発光ユニットに電気的に接続されている電極セットと、を含み、前記第１のチャンバー内に取り付けられている回路板と、
前記電極セットに電気的に接続するのに用いられる給電ユニットと、
前記給電ユニットを置くのに用いられる第２のチャンバーが形成されており、前記ベース内に回転可能に収容されており、前記第２のチャンバーが前記第１のチャンバーに対して偏心回転し、前記給電ユニットを偏心回転するように連動させ、前記給電ユニットと前記電極セットとの導通または非導通を切り替え、更に、前記発光ユニットの発光または非発光を切り替えるカバーと、
を備えることを特徴とする光線治療装置。
【請求項２】
前記底面に、人体の皮膚に照射するよう前記発光ユニットの光を通過させる光通過孔が開設されていることを特徴とする請求項１に記載の光線治療装置。
【請求項３】
前記回路板は、前記電極セットに電気的に接続されている駆動回路を有し、
前記発光ユニットは、前記駆動回路に駆動され前記発光ユニットの発光モードを切り替えることを特徴とする請求項１に記載の光線治療装置。
【請求項４】
前記ベース内に嵌合溝が設けられており、前記カバーに嵌合レールが設けられており、前記嵌合レールが前記嵌合溝に回転可能に嵌合されていることを特徴とする請求項１に記載の光線治療装置。
【請求項５】
前記カバーと前記ベースとが嵌合した後で解体し分離できないよう、前記嵌合レールにフック部が形成されていることを特徴とする請求項４に記載の光線治療装置。
【請求項６】
前記ベースに複数の開いた係止溝を更に含み、前記カバーに前記係止溝に対応する若干の係合部を含み、前記カバーと前記ベースとが嵌合すると、前記係止溝及び係合部によって前記カバーと前記ベースとが解体し分離できるようにすることを特徴とする請求項４に記載の光線治療装置。
【請求項７】
前記給電ユニットは、薄膜電池、燃料電池又はボタン電池であることを特徴とする請求項１に記載の光線治療装置。
【請求項８】
前記電極セットは正電極部材及び負電極部材を有し、
前記給電ユニットは、正極及び負極を有し、偏心回転し、前記正極が前記電極セットの前記正電極部材に選択的に接触し、前記負極が前記電極セットの前記負電極部材に接触することを特徴とする請求項７に記載の光線治療装置。
【請求項９】
前記電極セットの前記正電極部材は、柱状である請求項８に記載の光線治療装置。
【請求項１０】
前記電極セットは複数の正電極部材及び負電極部材を有し、
前記給電ユニットは、正極及び負極を有し、偏心回転し、前記正極が順次に前記電極セットの前記正電極部材に選択的に接触し、前記負極が前記電極セットの前記負電極部材に接触することを特徴とする請求項７に記載の光線治療装置。
【請求項１１】
前記発光ユニットは、無機発光ダイオード又は有機発光ダイオードであることを特徴とする請求項１に記載の光線治療装置。
【請求項１２】
前記ベースは、人体の皮膚に貼り合わせるよう、外側へ延伸する延伸部を有することを特徴とする請求項１に記載の光線治療装置。
【請求項１３】
底面を含み、内部に第１のチャンバーが形成されているベースと、
前記底面に向かって発光する複数の発光ユニットと、前記発光ユニットに電気的に接続されている電極セットと、を含み、前記第１のチャンバー内に取り付けられている回路板と、
前記電極セットに電気的に接続するのに用いられる給電ユニットと、
前記給電ユニットを置くのに用いられる第２のチャンバーが形成されており、前記ベース内に回転可能に収容されており、前記第２のチャンバーが前記第１のチャンバーに対して偏心回転し、前記給電ユニットを偏心回転するように連動させ、前記給電ユニットと前記電極セットとの導通または非導通を切り替え、更に、前記発光ユニットが順次に発光するように切り替えるカバーと、
を備えることを特徴とする光線治療装置。
【請求項１４】
前記電極セットは複数の正電極部材及び負電極部材を有し、
前記給電ユニットは、正極及び負極を有し、偏心回転し、前記正極が順次に前記電極セットの前記正電極部材に選択的に接触し、前記負極が前記電極セットの前記負電極部材に接触することを特徴とする請求項１３に記載の光線治療装置。
【請求項１５】
前記発光ユニットは、順次に異色光を発するように切り替えることを特徴とする請求項１３に記載の光線治療装置。
【請求項１６】
前記発光ユニットは、同色光を発することを特徴とする請求項１３に記載の光線治療装置。
【請求項１７】
前記発光ユニットは、別々に無機発光ダイオード又は有機発光ダイオードであることを特徴とする請求項１３に記載の光線治療装置。
【考案の詳細な説明】
【技術分野】
【０００１】
本考案は、光線治療装置に関し、特に、薄型且つポータブルで、回転し切り替えて異色光を選択できる光線治療装置に関する。
【背景技術】
【０００２】
鍼灸は、人体のつぼに刺激を与えることで、痛みを和らげる療法である。従来の鍼灸としては、器具（例えば、金属針）を人体の経絡系のつぼに挿入して、経絡系における「気」又は「血液」を疏通させ、更に気血の塞ぎを減少させ、経絡系を正常に回復させる。
【０００３】
前記鍼灸は、ある程度の危険性を有するため、誰でも使用できるものではなく、その利用者が厳しく専門的に訓練されなければならない。なお、例えば、注射恐怖症又は傷口の感染等の、派生した副作用もよく意外に発生する。
【０００４】
近来、つぼに刺激を与えるには、針治療の代わりに光線を照射する療法が快速に増えている。光線治療としは、光線を人体の皮膚に照射することで、一連の生物化学反応を誘発し、更に、気血を流れさせる鍼灸のような効果を達成するものである。
【０００５】
しかしながら、現行の光線治療装置は、構造が殆ど複雑且つ膨大で、使用においては不便であり、身につけて使用することはできない。例えば、ユーザーを中に入らせて全身にわたって光照治療を行う形態の箱型光線治療装置があるが、体積が膨大であるため、自由に移動できないように、特定の場所に設ける必要がある。上記便利性の問題を解決するために、わりに小型の別の光線治療装置が開発される。しかしながら、操作が複雑で、体積の小型化の程度が限られる。また、市販の小型光線治療装置では、厚さがポータブルを確実に達成できない。
【０００６】
その故に、容易に身につけて使用し、安全な小型光線治療装置の開発が望まれている。
【考案の概要】
【考案が解決しようとする課題】
【０００７】
上記によると、本考案の目的は、偏心回転して発光ユニットの発光／オフを切り替え、薄型の給電ユニットを使用して身につけて使用できるようにする光線治療装置を提供することにある。
【課題を解決するための手段】
【０００８】
上記目的を達成するために、本考案の一態様において、ベース底面を含み、その内に第１のチャンバーが形成されるベースと、底面に向かって発光する発光ユニットと、発光ユニットに電気的に接続される電極セットと、を含み、第１のチャンバー内に取り付けられる回路板と、電極セットに電気的に接続されるための給電ユニットと、給電ユニットを置くのに用いられる第２のチャンバーがその上に形成され、ベース内に回るように収容され、第２のチャンバーが第１のチャンバーに対して偏心回転し、給電ユニットを偏心回転するように連動させて給電ユニットと電極セットとの導通または非導通を切り替え、更に、発光ユニットの発光または非発光を切り替えるカバーと、を備える光線治療装置を提供する。
【０００９】
前記の光線治療装置において、底面に、発光ユニットの光を人体の皮膚に照射するように通過させる光通過孔が開設されてもよい。回路板は、電極セットに電気的に接続される駆動回路を含んでもよい。発光ユニットは、駆動回路に駆動されて発光ユニットの発光モードを切り替えてもよい。ベース内に嵌合溝が設け、カバーに嵌合レールが設けられ、嵌合レールが嵌合溝に回転可能に嵌合される。カバーとベースとが嵌合した後で解体し分離できないように、嵌合レールにフック部が形成してもよい。或は、ベースに若干の開いた係止溝が更に設けられ、カバーにこれらの係止溝に対応する若干の係合部が設けられてもよい。カバーとベースとが嵌合すると、これらの係止溝及び係合部によって、カバーとベースとが解体し分離できるようにする。
【００１０】
前記の光線治療装置において、給電ユニットは、薄膜電池、燃料電池又はボタン電池であってもよい。発光ユニットは、無機発光ダイオード又は有機発光ダイオードであってもよい。
【００１１】
前記の光線治療装置において、電極セットは、正電極部材及び負電極部材を含み、給電ユニットは、正極及び負極を含んでもよい。給電ユニットは偏心回転して、その正極が電極セットの正電極部材に選択的に接触し、その負極が電極セットの負電極部材に接触する。別の例において、電極セットは複数の正電極部材及び負電極部材を含み、給電ユニットは正極及び負極を含んでもよい。給電ユニットは偏心回転して、その正極が順次に電極セットの各正電極部材に選択的に接触し、その負極が電極セットの負電極部材に接触する。
【００１２】
前記の光線治療装置において、電極セットの正電極部材は、柱状となってもよい。ベースは、人体の皮膚に貼り合わせるために、突出部が外へ延伸してもよい。
【００１３】
本考案の別の態様において、底面を含み、その内に第１のチャンバーが形成されるベースと、底面に向かって発光する複数の発光ユニットと、前記発光ユニットに電気的に接続される電極セットと、を含み、第１のチャンバー内に取り付けられる回路板と、電極セットに電気的に接続されるための給電ユニットと、給電ユニットを置くのに用いられる第２のチャンバーがその上に形成され、ベース内に回るように収容され、第２のチャンバーが第１のチャンバーに対して偏心回転して、給電ユニットを偏心回転するように連動させて給電ユニットと電極セットとの導通または非導通を切り替え、更に、各発光ユニットが順次に発光するように切り替えるカバーと、を備える光線治療装置を提供する。
【００１４】
前記の光線治療装置において、電極セットは複数の正電極部材及び負電極部材を含み、給電ユニットは正極及び負極を含んでもよい。給電ユニットは、偏心回転するように連動され、正極が順次に電極セットの各正電極部材に選択的に接触し、その負極が電極セットの負電極部材に接触する。電極セットの各正電極部材は、柱状となってもよい。
【００１５】
前記の光線治療装置において、複数の発光ユニットは、順次に異色光を発するように切り替え、又は同色光を発してもよい。発光ユニットは、別々に無機発光ダイオード又は有機発光ダイオードであってもよい。
【図面の簡単な説明】
【００１６】
【図１】本考案の一実施例に係る光線治療装置を示す分解斜視図である。
【図２】図１における光線治療装置を示す斜視図である。
【図３】図１における光線治療装置を示す模式的な断面図である。
【図４Ａ】本考案に係る給電ユニットと電極セットとの非導通状態を示す模式図である。
【図４Ｂ】本考案に係る給電ユニットと電極セットとの導通状態を示す模式図である。
【図５Ａ】本考案の別の実施例に係る光線治療装置の構造を示す模式図である。
【図５Ｂ】図５Ａに示すカバー及びベースを示す模式図である
【図６】本考案の回路板の別の形状の実施例を示す模式図である。
【図７Ａ】本考案で複数の発光ユニットを使用する場合のオフ状態を示す模式図である。
【図７Ｂ】本考案で複数の発光ユニットを使用する場合の第１の発光状態を示す模式図である。
【図７Ｃ】本考案で複数の発光ユニットを使用する場合の別のオフ状態を示す模式図である。
【図７Ｄ】本考案で複数の発光ユニットを使用する場合の第２の発光状態を示す模式図である。
【図８】本考案の光線治療装置の第１の適用例を示す模式図である。
【図９】本考案の光線治療装置の第２の適用例を示す模式図である。
【考案を実施するための形態】
【００１７】
以下、図面で本考案の複数の実施例を開示し、明らかに説明するために、数多くの実際の細部を下記でまとめて説明する。しかしながら、理解すべきなのは、これらの実際の細部が、本考案を制限するためのものではない。つまり、本考案の実施例の一部において、これらの実際の細部は、必須なものではない。また、図面を簡略化するために、ある従来慣用の構造及び素子は、図面において簡単でモード的に示される。
【００１８】
図１、図２及び図３を同時に参照されたい。図１は、本考案の一実施例に係る光線治療装置１００を示す分解斜視図である。図２は、図１における光線治療装置１００を示す組合模式図である。図３は、図１における光線治療装置１００を示す模式的な断面図である。
【００１９】
光線治療装置１００は、ベース１１０と、回路板１２０と、給電ユニット１３０と、カバー１４０と、を備える。
【００２０】
ベース１１０は、底面１１１を含み、その内に第１のチャンバー１１０ａが形成される。
【００２１】
回路板１２０は、第１のチャンバー１１０ａ内に取り付けられてよい。回路板１２０に発光ユニット１２２及び電極セット１２１が設けられ、更に、発光ユニット１２２の発光モードを切り替える駆動回路１２３が設けられる。電極セット１２１は、正電極部材１２１ａ及び負電極部材１２１ｂを含む。発光ユニット１２２、電極セット１２１及び駆動回路１２３が互いに電気的に接続する。発光ユニット１２２として、底面１１１へ発光する無機発光ダイオード又は有機発光ダイオードを使用してよい。底面１１１に、光線を人体の皮膚に照射するようにガイドして光線治療を行うように、発光ユニット１２２の光線を通過させる光通過孔１１１ａが開設される。
【００２２】
カバー１４０に第２のチャンバー１４０ａが形成される。給電ユニット１３０は、第２のチャンバー１４０ａに装設し固定されてよい。給電ユニットは、正極１３０ａ及び負極１３０ｂを含む。
【００２３】
カバー１４０は、ベース１１０内に回るように収容される。より具体的には、ベース１１０内に嵌合溝１１３が設けられ、カバー１４０に嵌合レール１４１が設けられ、嵌合レール１４１が嵌合溝１１３に回転可能に嵌合される。
【００２４】
また、図４Ａ及び図４Ｂを参照されたい。図４Ａは、本考案に係る給電ユニット１３０と電極セット１２１との非導通状態を示す模式図である。図４Ｂは、本考案に係る給電ユニット１３０と電極セット１２１との導通状態を示す模式図である。
【００２５】
カバー１４０とベース１１０とを互いに組み合わせると、給電ユニット１３０は、正極１３０ａが電極セット１２１の正電極部材１２１ａに選択的に接触し又は接触しないようになるが、負極１３０ｂが電極セット１２１の負電極部材１２１ｂに接触する。これにより、給電ユニット１３０と電極セット１２１とを導通させ又は切断し、更に、発光ユニット１２２の発光またはオフを切り替えることができる。より具体的には、カバー１４０における第２のチャンバー１４０ａは、ベース１１０の第１のチャンバー１１０ａに対して偏心回転することができる。給電ユニット１３０は、カバー１４０の第２のチャンバー１４０ａに固着される。そのため、カバー１４０が回転されると、給電ユニット１３０は、共に第１のチャンバー１１０ａに対して偏心回転するように連動される。この偏心回転によって、給電ユニット１３０と電極セット１２１の導通または非導通を切り替え、更に、発光ユニット１２２の発光またはオフを切り替える。
【００２６】
一例において、電極セット１２１の正電極部材１２１ａは、柱状となり、給電ユニット１３０の正極１３０ａと負極１３０ｂとの形状及び位置に合わせて、回路板１２０における電極セット１２１の正電極部材１２１ａと負電極部材１２１ｂとの幾何学図形及び位置を構成する。これにより、給電ユニット１３０が偏心回転する場合、給電ユニット１３０は、負極１３０ｂが常に電極セット１２１の負電極部材１２１ｂと接触するが、正極１３０ａが電極セット１２１の正電極部材１２１ａに選択的に接触する。これにより、給電ユニット１３０と回路板１２０の電極セット１２１との導通は、選択的に決められる。
【００２７】
小体積及びポータブル効果を達成するために、前記給電ユニット１３０としては、薄膜電池、燃料電池又はボタン電池等の薄型電池を使用してよい。
【００２８】
また、図５Ａ及び図５Ｂを参照されたい。図５Ａは、本考案の別の実施例に係る光線治療装置１００の構造を示す模式図である。図５Ｂは、図５Ａに示すカバー１４０及びベース１１０を示す模式図である。前記光線治療装置１００は、様々な使用形態を有する。例としては、前記図１〜図３に示すように、嵌合レール１４１にフック部１４２を形成すれば、カバー１４０とベース１１０とは、嵌合すると解体し分離できず、使い捨ての形態となり、この場合、給電ユニット１３０を交換できない。或いは、図５Ａ及び図５Ｂのように、ベース１１０に若干の開いた係止溝１１４を形成し、カバー１４０に係止溝１１４に対応する若干の係合部１４３を設け、カバー１４０の嵌合レール１４１にフック部１４２を設けない。これにより、係合部１４３を係止溝１１４内に入れる場合に、時計回りに回転させて、カバー１４０とベース１１０とを嵌合させることができる。給電ユニット１３０の電量が切れると、反時計回りの方向へ回転して、カバー１４０とベース１１０とを係合部１４３及び係止溝１１４によって解体し分離させて交換することができ、何回も使える形態になる。
【００２９】
次に、図６を参照されたい。図６は、本考案に係る回路板１２０の別の形状の実施例を示す模式図である。
【００３０】
本考案における回路板１２０は、形状が制限されなく、ベース１１０の第１のチャンバー１１０ａ内に収容され、且つ回路板１２０における正電極部材１２１ａ及び負電極部材１２１ｂについては、給電ユニット１３０が偏心回転する場合、発光ユニット１２２を切り替える作動形態を維持するように、給電ユニット１３０の負極１３０ｂが常に電極セット１２１の負電極部材１２１ｂに接触するが、給電ユニット１３０の正極１３０ａが電極セット１２１の正電極部材１２１ａに選択的に接触すればよい。一例において、図６に示すように、回路板１２０は長方形であってよく、回路板１２０における正電極部材１２１ａはアーチ形の片状であってもよく、依然として給電ユニット１３０が偏心回転する場合に発光ユニットを切り替える動作形態を維持することができる。前記正電極部材１２１ａ及び負電極部材１２１ｂは、給電ユニット１３０の電極形態によって作動する。例としては、給電ユニット１３０としてボタン電池を使用する場合、その正極１３０ａが側辺に位置するため、その負極１３０ｂが常に接触され、その正極１３０ａが選択的に接触される。給電ユニット１３０が他の形態であれば、その正極１３０ａが常に接触され、その負極１３０ｂが選択的に接触されるように、その正極１３０ａ及び負極１３０ｂの位置が互いに交替する場合もある。
【００３１】
本考案の発光ユニット１２２は、数が制限されなく、同時に複数設けられてもよい。駆動回路１２３の駆動によって、順次に切り替えて異なる発光モードが得られる。複数の発光ユニット１２２は、同色光又はそれぞれ異色光を有してもよい。異色光を使用する場合、異なる種類の治療効果が得られる。単色光を使用する場合、異なる光強度及びグラデーション変化が得られて、異なる程度の治療効果が得られる。
【００３２】
図７Ａ〜図７Ｄを共に参照されたい。図７Ａは、本考案で複数の発光ユニット１２２を使用する場合のオフ状態を示す模式図である。図７Ｂは、本考案で複数の発光ユニット１２２を使用する場合の第１の発光状態を示す模式図である。図７Ｃは、本考案で複数の発光ユニット１２２を使用する場合の別のオフ状態を示す模式図である。図７Ｄは、本考案で複数の発光ユニット１２２を使用する場合の第２の発光状態を示す模式図である。
【００３３】
第７Ａ〜図７Ｄにおいて、回路板１２０における電極セット１２１は、１つの負電極部材１２１ｂ及び４つの正電極部材１２１ａを含む。前記のように、給電ユニット１３０は、偏心回転するように連動されて、その正極１３０ａが順次に各電極セット１２１の正電極部材１２１ａに接触し又は接触しないようになるが、その負極１３０ｂが順次に複数の発光ユニット１２２の発光またはオフを切り替えるように常に電極セット１２１の負電極部材１２１ｂに接触する。複数の異色光の発光ユニット１２２を使用する場合、図７Ａにおいて、偏心回転の原因で、給電ユニット１３０の正極１３０ａが何れの正電極部材１２１ａにも接触せず、導通できなく、オフ状態となる。図７Ｂにおいて、給電ユニット１３０の正極１３０ａが１つの正電極部材１２１ａに接触して第１の色の光を発する。続いて、図７Ｃのように、給電ユニット１３０がその正極１３０ａが何れの正電極部材１２１ａにも接触しないように再び偏心回転して、再びオフ状態となる。続いて、図７Ｄに示すように、給電ユニット１３０の正極１３０ａが別の正電極部材１２１ａに接触して第２の色の光を発する。前記により、給電ユニット１３０の正極１３０ａは、順次に各正電極部材１２１ａに接触して導通し又は導通しないように循環作動して、順次に複数の発光ユニット１２２が異色光又は光強度及び階調の異なる同色光を発するようにすることができる。このような多段階切り替えは、１つの発光ユニット１２２だけを使用する場合にも適用される。駆動回路１２３の設計によって、単一の発光ユニット１２２に異なる発光モードを持たることで、単色光の光強度又は階調の異なる変化を持たせることができる。
【００３４】
また、図８及び図９を参照されたい。図８は、本考案の光線治療装置１００の一適用例を示す模式図である。図９は、本考案の光線治療装置１００の別の適用例を示す模式図である。
【００３５】
実際的に使用する場合、一例において、図８のように、光線治療装置１００のベース１１０を人体の皮膚に接触させると、発光ユニット１２２の光がベース１１０の底面１１１に開設された光通過孔１１１ａから発出され、人体の皮膚に照射する。ユーザーは、カバー１４０を回転させることで、発光ユニット１２２の発光モードを切り替えることができる。別の例において、図９のように、ベース１１０は、広い面積で人体の皮膚に貼り合わせるために、延伸部１１５が外へ延伸し、光線治療装置１００の固定に寄与する。延伸部１１５は、ベース１１０を製造する場合に共に製造されてもよいし、別に追加されてもよいが、その形成の形態が特に制限されない。
【００３６】
以上をまとめると、本考案の光線治療装置１００は、体積がコンパクトで、身につけて使用することができる。なお、光線治療装置１００は、構造が簡単で、耐用性及び寿命が相対的に増加し、製造コストが安く、量産に向いている。
【００３７】
本考案を実施形態で前述の通り開示したが、これは本考案を限定するためのものではなく、当業者であれば、本考案の精神と範囲から逸脱しない限り、各種の変更または修正を加えることができる。従って、本考案の保護範囲は、実用新案登録請求の範囲で指定した内容を基準とするものである。
【符号の説明】
【００３８】
１００  光線治療装置、
１３０ｂ  負極、
１１０  ベース、
１４０  カバー、
１１０ａ  第１のチャンバー、
１４１  嵌合レール、
１１１  底面、
１４２  フック部、
１１１ａ  光通過孔、
１４３  係合部、
１１３  嵌合溝、
１４０ａ  第２のチャンバー、
１１４  係止溝、
１１５  延伸部、
１２０  回路板、
１２１  電極セット、
１２１ａ  正電極部材、
１２１ｂ  負電極部材、
１２２  発光ユニット、
１２３  駆動回路、
１３０  給電ユニット、
１３０ａ  正極。
【図１】
0003203644.tif 000003
【図２】
0003203644.tif 000004
【図３】
0003203644.tif 000005
【図４Ａ】
0003203644.tif 000006
【図４Ｂ】
0003203644.tif 000007
【図５Ａ】
0003203644.tif 000008
【図５Ｂ】
0003203644.tif 000009
【図６】
0003203644.tif 000010
【図７Ａ】
0003203644.tif 000011
【図７Ｂ】
0003203644.tif 000012
【図７Ｃ】
0003203644.tif 000013
【図７Ｄ】
0003203644.tif 000014
【図８】
0003203644.tif 000015
【図９】
0003203644.tif 000016